(57)【要約】【課題】内気導入口を流通する空気の流通音を小さくして、車室内に聞こえる騒音を小さくする。【解決手段】内気導入口２及び外気導入口３を備えるインテークケーシング１と、内気導入口２及び外気導入口３を開閉するドア装置１０とを備える内外気切替装置において、内気導入口２の開口面積を外気導入口３の開口面積よりも大きく設定する。ドア装置１０のドアを、メインドア１１とその先端にヒンジ連結されたサブドア１２とからなる中折れ式のドア１０Ａで構成し、メインドア１１を駆動軸５で回動させることにより、ガイドレール１５の作用でサブドア１２が連動するようにしてある。外気導入口３を全閉するときはメインドア１１で塞ぎ、内気導入口２を全閉するときはメインドア１１とサブドア１２で塞ぐ。【選択図】図１
2005219658.tif 000002
【特許請求の範囲】
【請求項１】
車室の内気を取り入れるための内気導入口（２）及び外気を取り入れるための外気導入口（３）を備えるインテークケーシング（１）と、該インテークケーシング（１）内に配置され前記内気導入口（２）及び前記外気導入口（３）を開閉するドア装置（１０）と、を備える車両用空調装置の内外気切替装置において、
前記内気導入口（２）の開口面積が前記外気導入口（３）の開口面積よりもを大きく設定されていることを特徴とする車両用空調装置の内外気切替装置。
【請求項２】
請求項１に記載の車両用空調装置の内外気切替装置であって、
前記内気導入口（２）及び外気導入口（３）が近接配置され、
前記ドア装置（１０）が、駆動軸（５）を中心にして前記内気導入口（２）と前記外気導入口（３）との間で回動し得ると共に、外気導入口（３）側の回動終点に回動したときに少なくとも前記外気導入口（３）を全閉する大きさを有するメインドア（１１）と、該メインドア（１１）の回動先端側にヒンジ（１３）によって連結され、且つ、前記メインドア（１１）が内気導入口（２）側の回動終点に回動したときにメインドア（１１）と共に前記内気導入口（２）を全閉する大きさを有するサブドア（１２）と、からなる中折れ式のドア（１０Ａ）を備えていることを特徴とする車両用空調装置の内外気切替装置。
【請求項３】
請求項２に記載の車両用空調装置の内外気切替装置であって、
前記サブドア（１２）をガイドするガイド部（１５）が設けられ、
このガイド部（１５）のガイドにより、前記サブドア（１２）が、前記メインドア（１１）の前記外気導入口（３）側の回動終点で前記メインドア（１１）側に折り畳まれて前記内気導入口（２）を全開し、且つ、前記メインドア（１１）の前記内気導入口（２）側の回動終点で前記メインドア（１１）と共に前記内気導入口（２）を全閉することを特徴とする車両用空調装置の内外気切替装置。
【請求項４】
請求項３に記載の車両用空調装置の内外気切替装置であって、
前記ガイド部（１５）の終点部（１５ｅ）が、前記内気導入口（２）の全閉時に前記サブドア（１２）が内気導入口（２）の周縁に押接するように湾曲形成されていることを特徴とする車両用空調装置の内外気切替装置。
【発明の詳細な説明】
【技術分野】
【０００１】
本発明は、車両用空調装置の内外気切替装置に関するものである。
【背景技術】
【０００２】
車室内の空調を行う車両用空調装置の送風路の上流端には、内外気切替装置が設けられている。この内外気切替装置は、温調する空気を車室内から取り込むか、車外から取り込むかを切り替えるものである。この内外気切替装置は、一般的に、内気導入口及び外気導入口を有すインテークケーシングと、インテークケーシング内に配置され、内気導入口及び外気導入口を開閉制御する切替ドアと、を備えている（例えば、特許文献１参照）。
【特許文献１】特開２００２−１２０１６号公報
【発明の開示】
【発明が解決しようとする課題】
【０００３】
ところで、従来の内外気切替装置では、配置スペースなどの制約から、１枚の切替ドアで、内気導入口及び外気導入口を開閉制御するようになっており、そのため、内気導入口と外気導入口の開口面積は、ほとんど同一に設定されているのが普通であった。しかし、車室内に通じる内気導入口の開口面積が外気導入口と同じ程度に小さいと、内気導入モードにしたときに、流速が大きくなることにより、空気の流通音が車室内に大きく聞こえてしまうという問題があった。
【０００４】
本発明は、上記事情を考慮し、内気導入口を流通する空気の流通音を小さくして、車室内に聞こえる騒音を小さくできる車両用空調装置の内外気切替箱装置を提供することを目的とする。
【課題を解決するための手段】
【０００５】
請求項１の発明は、車室の内気を取り入れるための内気導入口及び外気を取り入れるための外気導入口を備えるインテークケーシングと、該インテークケーシング内に配置され前記内気導入口及び前記外気導入口を開閉するドア装置と、を備える車両用空調装置の内外気切替装置において、前記内気導入口の開口面積が前記外気導入口の開口面積よりもを大きく設定されていることを特徴とする。
【０００６】
請求項２の発明は、請求項１に記載の車両用空調装置の内外気切替装置であって、前記内気導入口及び外気導入口が近接配置され、前記ドア装置が、駆動軸を中心にして前記内気導入口と前記外気導入口との間で回動し得ると共に、外気導入口側の回動終点に回動したときに少なくとも前記外気導入口を全閉する大きさを有するメインドアと、該メインドアの回動先端側にヒンジによって連結され、且つ、前記メインドアが内気導入口側の回動終点に回動したときにメインドアと共に前記内気導入口を全閉する大きさを有するサブドアと、からなる中折れ式のドアを備えていることを特徴とする。
【０００７】
請求項３の発明は、請求項２に記載の車両用空調装置の内外気切替装置であって、前記サブドアをガイドするガイド部が設けられ、このガイド部のガイドにより、前記サブドアが、前記メインドアの前記外気導入口側の回動終点で前記メインドア側に折り畳まれて前記内気導入口を全開し、且つ、前記メインドアの前記内気導入口側の回動終点で前記メインドアと共に前記内気導入口を全閉することを特徴とする。
【０００８】
請求項４の発明は、請求項３に記載の車両用空調装置の内外気切換装置であって、前記ガイド部の終点部が、前記内気導入口の全閉時に前記サブドアが内気導入口の周縁に押接するように湾曲形成されていることを特徴とする。
【発明の効果】
【０００９】
請求項１の発明によれば、内気導入口の開口面積を大きく設定したので、内気導入口を流通する空気の速度を落とすことができ、これにより内気導入口を流通する空気の流通音を小さくすることができて、車室内の静穏性を高めることができる。
【００１０】
請求項２の発明によれば、ドア装置のドアを中折れ式のドアとしたため、比較的小さな領域にドア装置を配置することができる。それゆえ、ドア装置を内部に備えるインテークケーシングを小さくすることができて、内外気切替装置の小型化が図れる。
【００１１】
請求項３の発明によれば、ガイド部の作用により、メインドアの動きに従ってサブドアの動きが制御されるようになっているので、メインドアに駆動軸を設けるのみで、サブドアに駆動軸を設けなくてよくなり、コストを削減できる。
【００１２】
請求項４の発明によれば、ガイド部の終点部を湾曲形成することにより、内気導入口の全閉時にサブドアを内気導入口の周縁に押接させるようにしたので、外気取入モードのとき、確実に内気導入口を全閉することができる。
【発明を実施するための最良の形態】
【００１３】
以下、本発明の実施形態を図面に基づいて説明する。
【００１４】
図１の（ａ）は実施形態の内外気切替装置の側断面図、（ｂ）は同内外気切替装置に使用されている中折れ式のドアとガイド部との構成を示す斜視図、図２は同内外気切替装置の各状態を示す図で、（ａ）は外気導入時の状態、（ｂ）は内気導入時の状態、（ｃ）は内外気同時取り込み時の状態を示す断面図である。
【００１５】
この内外気切替装置は、車両用空調装置の送風路の上流端に設けられるもので、図１（ａ）において、１はインテークケーシング、１０はその内部に配置されたドア装置、２０は送風ケーシング、２１は同送風ケーシング２０内に形成されたスクロール室、２２は同スクロール室２１内に挿入された送風ファンである。送風ケーシング２０の上面には吸込口２３が設けられており、その吸込口２３が、インテークケーシング１の内部空間に連通している。
【００１６】
インテークケーシング１の上部には、互いに隣接させて、車室の内気を取り入れるための内気導入口２と、外気を取り入れるための外気導入口３とが設けられている。ここでは、内気導入口２の開口面積（幅が同寸なので寸法ＬＡで代表）が、外気導入口３の開口面積（寸法ＬＢで代表）よりも倍近く大きめに設定されている。そして、ドア装置１０が、内気導入口２と外気導入口３を開閉制御するために、インテークケーシング１内に装備されている。
【００１７】
ドア装置１０は、内気導入口２と外気導入口３の境界部分に配置した駆動軸５に基端が連結された中折れ式のドア１０Ａと、ドア１０Ａの開閉動作をガイドするガイドレール（ガイド部）１５と、駆動軸５を回動制御する駆動モータ（図示略）と、を備えている。
【００１８】
中折れ式のドア１０Ａは、駆動軸５を中心にして内気導入口２と外気導入口３との間で回動するメインドア１１と、このメインドア１１の回動先端にヒンジ１３により回動可能に連結されたサブドア１２とからなり、駆動軸５を回転させることで、メインドア１１が回動するようになっている。ガイドレール１５は、メインドア１１の動きに追従させてサブドア１２の動きをガイドするためのもので、内気導入口２の開口縁に沿って互いに平行に一対配設されている。そして、これら一対のガイドレール１５の溝に、サブドア１２の先端に設けたスライド軸１４の両端がスライド自在に嵌まっている。
【００１９】
メインドア１１は、図２（ｂ）に示すように、駆動軸５を中心にして外気導入口３側の回動終点に回動したときに、少なくとも外気導入口３を全閉する大きさを有している。また、サブドア１２は、図２（ａ）に示すように、メインドア１１が内気導入口２側の回動終点に回動したときに、メインドア１１と共に内気導入口２を全閉する大きさを有している。
【００２０】
そして、ガイドレール１５のガイド作用によって、メインドア１１が外気導入口３側の回動終点まで回動したとき、サブドア１２がメインドア１１側に折り畳まれて内気導入口２を全開し、また、メインドア１１が内気導入口２側の回動終点まで回動したとき、サブドア１２がメインドア１１と共に内気導入口２を全閉するようになっている。
【００２１】
なお、ガイドレール１５の終点部１５ｅは、内気導入口２の全閉時に、サブドア１２が内気導入口２の周縁に押接するように湾曲形成されている。また、メインドア１１とサブドア１２を連結するヒンジ１３には、図１（ｂ）に示すように、サブドア１２の動きを補助するための補助スプリング１７が必要に応じて設けられている。
【００２２】
次に作用を説明する。
【００２３】
全量外気導入モード時には、図２（ａ）に示すように、メインドア１１を内気導入口２側の回動終点まで回動させる。そうすると、ガイドレール１５のガイド作用により、サブドア１２がメインドア１１と共に内気導入口２を全閉する。これにより、内気導入口２を通しての内気の導入が遮断され、外気導入口３を通して全量外気の導入が行われる。この際、図１（ｂ）に示すように、ガイドレール１５の終点部１５ｅが湾曲形成されているので、サブドア１２が内気導入口２の周縁に押接して、内気導入口２が確実に全閉される。
【００２４】
次に、全量内気導入モード時には、図２（ｂ）に示すように、メインドア１１を外気導入口３側の回動終点まで回動させる。そうすると、ガイドレール１５のガイド作用により、サブドア１２がメインドア１１側に折り畳まれて内気導入口２を全開する。これにより、外気導入口３を通しての外気の導入が遮断され、内気導入口２を通して全量外気の導入が行われる。
【００２５】
この際、内気導入口２の開口面積は、外気導入口３のそれよりもかなり大きく設定されているので、内気導入口２を流通する空気の速度を落とすことができ、内気導入口２を流通する空気の流通音を小さくすることができる。
【００２６】
次に、内外気同時取り込みモード時には、図２（ｃ）に示すように、メインドア１１を外気導入口３側と内気導入口２側との中間位置に回動停止させる。そうすると、メインドア１１及びサブドア１２が、外気導入口３及び内気導入口２を半開状態とする位置に保持される。従って、外気導入口３から外気が導入されると同時に内気導入口２から内気が導入される。この際、メインドア１１及びサブドア１２がエアガイドの役目を果たし、空気の流れがスムーズになる。
【００２７】
次に、この実施形態の効果をまとめる。
【００２８】
以上述べたようにこの実施形態の内外気切替装置では、まず第１に、内気導入口２の開口面積を大きく設定したので、内気導入口２を流通する空気の速度を落とすことができ、これにより内気導入口２を流通する空気の流通音を小さくすることができて、車室内の静穏性を高めることができる。
【００２９】
第２に、ドア装置１０のドア１０Ａを中折れ式のドアとしているので、比較的小さな領域にドア装置１０を配置することができ、ドア装置１０を内部に備えるインテークケーシング１を小さくすることができて、装置の小型化が図れるメリットがある。
【００３０】
第３に、ガイドレール１５の作用によって、メインドア１１の動きに追従させてサブドア１２を動かすようにしているので、メインドア１１に駆動軸５を設けるのみで、サブドア１２に駆動軸を設けなくてよくなり、コスト面や制御面で有利となる。
【００３１】
第４に、ガイドレール１５の終点部１５ｅを湾曲形成することにより内気導入口２の全閉時にサブドア１２を内気導入口２の周縁に押接させるようにしたので、外気取入モードのとき、確実に内気導入口２を全閉できる。
【図面の簡単な説明】
【００３２】
【図１】（ａ）は実施形態の内外気切替装置の側断面図、（ｂ）は同内外気切替装置に使用されている中折れ式のドアとガイド部との構成を示す斜視図である。
【図２】同内外気切替装置の各状態を示す図で、（ａ）は外気導入時の状態、（ｂ）は内気導入時の状態、（ｃ）は内外気同時取り込み時の状態を示す断面図である。
【符号の説明】
【００３３】
１  インテークケーシング
２  内気導入口
３  外気導入口
５  駆動軸
１０  ドア装置
１０Ａ  中折れ式のドア
１１  メインドア
１２  サブドア
１３  ヒンジ
１５  ガイドレール
１５ａ  終点部
【図１】
2005219658.tif 000003
【図２】
2005219658.tif 000004